(57)【特許請求の範囲】
【請求項１】
建屋の天井部に設置され、熱交換器及びファンを収容して構成されたユニット本体に吹出ダクトが延設された空気調和機において、
上記ユニット本体の箱体には、上記熱交換器を収容する熱交換器室と、上記ファンを収容するファン室とを仕切る仕切板が設置され、上記熱交換器室の下部にドレンパンを覆うドレンパン押え板が設置され、
上記仕切板には、上記ドレンパンの一部に当接する膨出部が、当該仕切板の高さ方向に延出して形成され、
この仕切板の下端部を曲げ形成するとともに、上記ドレンパン押え板に、上記曲げ形成した下端部に引っ掛け可能な係合部を形成し、
この係合部を上記曲げ形成した下端部に引っ掛けて、上記ドレンパン押え板を上記仕切板に支持させるとともに、当該ドレンパン押え板を上記箱体に支持させたことを特徴とする空気調和機。
【請求項２】
上記仕切板の膨出部は、仕切板に成形された補強ビードであることを特徴とする請求項１に記載の空気調和機。
【発明の詳細な説明】
【０００１】
【発明の属する技術分野】
本発明は、建屋の天井部に設置され、内部に熱交換器およびファンを備え、熱交換された空気を吹き出しダクトを介して室内の適宜位置へ導き吹き出させる空気調和機に関する。
【０００２】
【従来の技術】
一般に、建屋の天井空間に設置され、室内熱交換器およびファンを収容して構成されたユニット本体に、吹出ダクトが延設されたビルトイン型空気調和機が知られている。このようなビルトイン型空気調和機では、室内熱交換器にて熱交換された空気を、吹出ダクトを介して室内の適宜位置へ導き室内に吹き出すことができるので、室内の美観を損なうことなく最適な空気調和を実現できる。
【０００３】
従来、この種のビルトイン型空気調和機には、図６に示すように、パネル仕様ビルトイン型空気調和機１０とダクト仕様ビルトイン型空気調和機２０とがある。パネル仕様ビルトイン型空気調和機１０（図６（Ａ））は、ユニット本体１１の下面に設けられて天井板に設置される天井パネル１２から室内空気を吸い込むものであり、また、電装箱がユニット本体１１内部に配設されている。一方、ダクト仕様ビルトイン型空気調和機２０（図６（Ｂ））は、ユニット本体２１の背面に吸込ダクト２２を設けて、この吸込ダクト２２を介し室内空気を吸い込むものであり、電装箱２３がユニット本体２１の側板の外面に設置されている。
【０００４】
これらのユニット本体１１及び２１は、図７に示すように、箱体１４内に熱交換器１５、並びにファン及びファンモータ１６が収容されて構成される。箱体１４には仕切板１７が設置され、箱体１４内は、この仕切板１７により、熱交換器１５が収容される熱交換器室１８と、ファン及びファンモータ１６が収容されるファン室１９とに仕切られる。
【０００５】
熱交換器室１８の下部には、熱交換器１５からの凝縮水を受けるドレンパン２４が配置されている。このドレンパン２４は、ドレンパン押え板２５によって覆われる。尚、符号２６は、ダクト仕様ビルトイン型空気調和機２０においてユニット本体２１の下方に装着される遮風板である。
【０００６】
【発明が解決しようとする課題】
ところで、上述のドレンパン押え板２５においては、仕切板１７に対応する縁部２５Ａを除く３つの縁部２５Ｂは、箱体１４に固定されるが、上記仕切板１７に対応する縁部２５Ａは、箱体１４に係止されず、または固定されてもいない。
【０００７】
このため、ドレンパン押え板２５にドレンパン２４へ向かう外力Ｐが作用すると、ドレンパン押え板２５がドレンパン２４側へ撓み変形し、ドレンパン２４に上記外力Ｐを及ぼしてしまう。一般に、ドレンパン２４は、発泡ウレタンなどの発泡樹脂にて構成されているため、外力Ｐの作用で破損または変形し易い。
【０００８】
また、ドレンパン２４及びドレンパン押え板２５と仕切板１７との間には隙間Ｓが形成されている。このため、ファンの作用で熱交換器室１８に導入された空気が上記隙間Ｓから外部へ漏洩してしまう。このため、この熱交換器室１８から吹出ダクトを経て吹き出される吹出風量が良好に確保できなくなる恐れがある。
【０００９】
本発明の目的は、上述の事情を考慮してなされたものであり、ドレンパンを確実に保護できる空気調和機を提供することにある。
【００１０】
【課題を解決するための手段】
請求項１に記載の発明は、建屋の天井部に設置され、熱交換器及びファンを収容して構成されたユニット本体に吹出ダクトが延設された空気調和機において、上記ユニット本体の箱体には、上記熱交換器を収容する熱交換器室と、上記ファンを収容するファン室とを仕切る仕切板が設置され、上記熱交換器室の下部にドレンパンを覆うドレンパン押え板が設置され、上記仕切板には、上記ドレンパンの一部に当接する膨出部が、当該仕切板の高さ方向に延出して形成され、この仕切板の下端部を曲げ形成するとともに、上記ドレンパン押え板に、上記曲げ形成した下端部に引っ掛け可能な係合部を形成し、この係合部を上記曲げ形成した下端部に引っ掛けて、上記ドレンパン押え板を上記仕切板に支持させるとともに、当該ドレンパン押え板を上記箱体に支持させたことを特徴とするものである。
【００１１】
請求項２に記載の発明は、請求項１に記載の発明において、上記仕切板の膨出部は、仕切板に成形された補強ビードであることを特徴とするものである。
【００１３】
請求項１に記載の発明には、次の作用がある。
【００１４】
ユニット本体内のドレンパンを覆うドレンパン押え板の全周縁部が上記箱体と上記仕切板に支持されたことから、ドレンパン押え板にドレンパンへ向かう外力が外側から作用しても、この外力を箱体及び上記仕切板にて確実に受けることができるので、ドレンパンが破損したり変形したりせず、ドレンパンを良好に保護できる。
また、ドレンパンの一部が仕切板の膨出部に当接して配置されたことから、ドレンパン押え板にドレンパンへ向かって外側から作用する外力の一部を、ドレンパン及び膨出部を介して仕切板にて確実に受けることができるので、上記外力に対するドレンパンの保護をより一層確実にできる。
また、ドレンパンの一部と仕切板の膨出部との当接により、ドレンパン、仕切板及び箱体に囲まれて構成される熱交換器室の気密性を確保でき、この熱交換器室に連設された吹出ダクトからの吹出風量を好適に維持できる。
【００１５】
請求項２に記載の発明には、次の作用がある。
【００１６】
仕切板に補強ビードが成形されたことにより、この仕切板の強度が増大して、この仕切板にファン及びファンモータを支障なく取り付けることができる。
【００２０】
【発明の実施の形態】
以下、本発明の実施の形態を、図面に基づき説明する。
【００２１】
図１は、本発明に係る空気調和機が適用されたビルトイン型空気調和機の第一の実施の形態を示し、（Ａ）がパネル仕様ビルトイン型空気調和機、（Ｂ）がダクト仕様ビルトイン型空気調和機をそれぞれ示す側面図である。
【００２２】
図１（Ａ）に示すパネル仕様ビルトイン型空気調和機３０と、図１（Ｂ）に示すダクト仕様ビルトイン型空気調和機４０は、共に、建屋３１の天井３２と天井板３３との間の天井空間３４内に懸吊して配設され、ユニット本体３５、吹出ダクト３６及び運転制御用の電装箱３７を有して構成される。
【００２３】
上記ユニット本体３５の箱体５４は、互いに対向配置されて四角枠形状に設けられた４枚の側板３８の上縁部に天板３９が、下縁部の一部にドレンパン押え板４６がそれぞれ固定されて構成される。これらの側板３８、天板３９及びドレンパン押え板４６の内外表面または、内側もしくは外側表面（本実施の形態では外側表面）に断熱材が貼着されている。
【００２４】
このユニット本体３５の箱体５４の側板３８には吊り金具４１が固着され、この吊り金具４１が、建屋３１の天井３２から垂下された吊りボルト４２に止着されて、パネル仕様ビルトイン型空気調和機３０、ダクト仕様ビルトイン型空気調和機４０が建屋３１の天井３２に懸吊可能に構成される。
【００２５】
このユニット本体３５は箱体５４の内部に、図４に示す室内熱交換器５５、ファン（不図示）およびファンモータ５６が収容して構成される。上記室内熱交換器５５は、図２及び図３に示す冷媒配管接続口４３に接続された冷媒配管（ガス管）、及び冷媒配管接続口４４に接続された冷媒配管（液管）を用いて、図示しない室外機に接続される。ユニット本体３５の室内熱交換器５５は、室外機から導かれる冷媒の蒸発または凝縮により、後述の如くユニット本体３５内に吸い込まれた空気を冷却し又は暖房する。
【００２６】
尚、図２、図３中の符号４５Ａはドレン配管接続口を示し、符号４５Ｂはドレン排出口を示す。
【００２７】
図１に示す上記吹出ダクト３６は、通常、複数本がユニット本体３５から延設されている。吹出ダクト３６のそれぞれは、ユニット本体３５の箱体５４の一つの側板３８Ａに一体に設置された吹出口４７（図２、図３）に一端が嵌装され、他端に吹出グリル４８が取付けられる。この吹出グリル４８は、天井板３３の適宜位置に設置される。ユニット本体３５のファンの回転により、後述の如くユニット本体３５内に室内空気が吸い込まれ、室内熱交換器により熱交換された空気が、吹出ダクト３６を経て吹出グリル４８から室内へ吹き出される。
【００２８】
ところで、図１（Ａ）及び図２に示すパネル仕様ビルトイン型空気調和機３０は、ユニット本体３５の下部開口に天井パネル４９が嵌装されたものである。この天井パネル４９は、中央位置に吸込板５０を備え、この吸込板５０との隙間から室内空気を吸い込み、ユニット本体３５内へ導入する。
【００２９】
また、図１（Ｂ）及び図３に示すダクト仕様ビルトイン型空気調和機４０は、ユニット本体３５の箱体５４の一つの側板３８で、吹出口４７が設置された側板３８Ａに対向する側板（すなわちダクト仕様ビルトイン型空気調和機４０の背面側板３８Ｂ）に、図示しない吸込開口が形成され、この側板３８（背面側板３８Ｂ）に、例えばフィルタボックス５１を介して、通常一本の吸込ダクト５２が連設されたものである。吸込ダクト５２の一端部に吸込グリル５３が嵌装され、この吸込グリル５３が、天井板３３の適宜位置に設置される。この吸込グリル５３から室内空気が取り込まれ、吸込ダクト５２を経てユニット本体３５内へ吸い込まれる。
【００３０】
尚、ダクト仕様ビルトイン型空気調和機４０のユニット本体３５の下部開口は、遮風板５７により閉じられる。本実施の形態では、この遮風板５７の外側にも断熱材が貼着されている。また、上記電装箱３７は、図１に示すように、ユニット本体３５の側板３８のうち、吹出ダクト３６または吸込ダクト５２が配設されていない側板３８Ｃに取付けられる。
【００３１】
さて、ユニット本体３５の箱体５４内は、図４に示すように、仕切板６４によって、室内熱交換器５５を収容する熱交換器室６５と、ファン及びファンモータ５６を収容するファン室６６とに仕切られる。この仕切板６４は、図示しないセルフタップねじによって天板３９に固定されている。
【００３２】
仕切板６４には、図５に示すように、Ｔ字形状に延びる補強ビード６７が膨出して形成されると共に、送風口６８が開口されている。補強ビード６７の成形により、仕切板６４の強度が増大する。また、送風口６８は、ファンの取付位置に対応して形成され、ファンからの送風を熱交換器室６５内へ導く。
【００３３】
熱交換器室６５の下部には、ドレンパン６９が配置され、このドレンパン６９がドレンパン押え板４６により覆われている。ドレンパン６９は一般に、発泡スチロールなどの発泡樹脂にて形成されている。また、ドレンパン押え板４６は、遮風板５７と同様に、ほぼ長方形状に形成されている。
【００３４】
ドレンパン押え板４６における仕切板６４側の側縁部４６Ｘと、この側縁部４６Ｘに対向する側縁部４６Ａには係合部７０、７１がそれぞれ形成される。側縁部４６Ｘの係合部７０は仕切板６４に係合可能とされ、側縁部４６Ａの係合部７１は、箱体５４の側板３８Ａに係合可能とされる。
【００３５】
この側縁部４６Ａは、側板３８Ａにセルフタップねじを用いて固定される。また、ドレンパン押え板４６における他の相互に対向する側縁部４６Ｃ、４６Ｄ（図２、図３）は、箱体５４の側板３８Ｃ、３８Ｄにセルフタップねじを用いて固定される。更に、ドレンパン押え板４６の側縁部４６Ｘは、遮風板５７における仕切板６４側の側縁部５７Ｘと共に、セルフタップねじなどを用いて仕切板６４に共締め固定される。
【００３６】
尚、遮風板５７の他の３つの側縁部５７Ｙは、箱体５４の背面側板３８Ｂ、側板３８Ｃ、３８Ｄにセルフタップねじなどにより固定される。
【００３７】
ドレンパン押え板４６が箱体５４の側板３８Ａ、３８Ｃ、３８Ｄと仕切板６４に固定された状態で、ドレンパン６９における仕切板６４側の内側縁部７２が、仕切板６４の補強ビード６７（この補強ビード６７のうち、ドレンパン６９の長手方向に沿って延在する部分６７Ａ）に当接する。これにより、ドレンパン６９と仕切板６４との隙間が閉塞されて、熱交換器室６５内の気密構造が確保される。
【００３８】
従って、上記実施の形態によれば、次の効果▲１▼〜▲４▼を奏する。
【００３９】
▲１▼ユニット本体３５内のドレンパン６９を覆うドレンパン押え板４６の側縁部４６Ｘが仕切板６４に、側縁部４６Ａ、４６Ｃ、４６Ｄが箱体５４にそれぞれ固定して支持されたことから、ドレンパン押え板４６にドレンパン６９へ向かう外力Ｐが外側から作用しても、この外力Ｐを箱体５４及び仕切板６４にて確実に受けることができるので、ドレンパン６９が破損したり変形したりせず、ドレンパン６９を良好に保護できる。
【００４０】
▲２▼ドレンパン６９の内側縁部７２が仕切板６４の補強ビード６７に当接して配置されたことから、ドレンパン押え板４６にドレンパン６９へ向かって外側から作用する外力Ｐの一部を、ドレンパン押え板４６及び補強ビード６７を介して仕切板６４にて確実に受けることができるので、外力Ｐに対するドレンパン６９の保護をより一層確実にできる。
【００４１】
▲３▼ドレンパン６９の内側縁部７２と仕切板６４の補強ビード６７との当接により、ドレンパン６９、仕切板６４及び箱体５４に囲まれて構成される熱交換器室６５の気密性を確保でき、この熱交換器室６５に連設された吹出ダクト３６からの吹出風量を好適に維持できる。
【００４２】
▲４▼仕切板６４に補強ビード６７が形成されたことにより、この仕切板６４の強度が増大して、この仕切板６４にファン及びファンモータ５６を支障なく取り付けることができる。
【００４３】
以上、本発明を上記実施の形態に基づいて説明したが、本発明はこれに限定されるものではない。
【００４４】
例えば、パネル仕様ビルトイン型空気調和機３０の場合には、ドレンパン押え板４６の側縁部４６Ｘは、天井パネル４９の仕切板６４側部分とともに仕切板６４に共締め固定されても良い。
【００４５】
【発明の効果】
以上のように、本発明に係る空気調和機によれば、ユニット本体の箱体に、熱交換器を収容する熱交換器室と、ファンを収容するファン室とを仕切る仕切板が設置され、熱交換器室の下部に配置されたドレンパンを覆うドレンパン押え板の全周縁部が箱体と仕切板に支持されたことから、ドレンパンを確実に保護できる。
【図面の簡単な説明】
【図１】本発明に係る空気調和機が適用されたビルトイン型空気調和機の一実施の形態を示し、（Ａ）がパネル仕様ビルトイン型空気調和機、（Ｂ）がダクト仕様ビルトイン型空気調和機のそれぞれ側面図である。
【図２】図１（Ａ）におけるパネル仕様ビルトイン型空気調和機のユニット本体を示す斜視図である。
【図３】図１（Ｂ）におけるダクト仕様ビルトイン型空気調和機のユニット本体を示す斜視図である。
【図４】図２及び図３のＩＶ−ＩＶ線に沿う断面図である。
【図５】図４の仕切板の斜視図である。
【図６】従来のビルトイン型空気調和機を示し、（Ａ）がパネル仕様ビルトイン型空気調和機、（Ｂ）がダクト仕様ビルトイン型空気調和機のそれぞれ部分斜視図である。
【図７】図６のユニット本体における図４に対応する断面図である。
【符号の説明】
３０  パネル仕様ビルトイン型空気調和機
３１  建屋
３２  天井
３４  天井空間
３５  ユニット本体
３６  吹出ダクト
４０  ダクト仕様ビルトイン型空気調和機
４６  ドレンパン押え板
４６Ｘ、４６Ａ、４６Ｃ、４６Ｄ  側縁部
５４  箱体
５５  室内熱交換器
５６  ファンモータ
６４  仕切板
６５  熱交換器室
６６  ファン室
６７  補強ビード（膨出部）
６９  ドレンパン
７２  内側縁部
【図１】
0003744715.tif 000002
【図２】
0003744715.tif 000003
【図３】
0003744715.tif 000004
【図４】
0003744715.tif 000005
【図５】
0003744715.tif 000006
【図６】
0003744715.tif 000007
【図７】
0003744715.tif 000008